(57)【特許請求の範囲】
【請求項１】
複数個のＬＥＤ発光素子を面状に配列し、各ＬＥＤ発光素子を任意に点灯させ、表面に文字、図形、動画からなる情報を表示可能とするＬＥＤ表示体、あるいは映像または画像を表示可能とする液晶表示体を表面に備え、該ＬＥＤ表示体あるいは液晶表示体に表示するコンテンツ情報の複数を記憶可能なメモリを内蔵または接続可能とし、さらに上記メモリに記憶される複数のコンテンツ情報を選択的にＬＥＤ表示体あるいは液晶表示体に切換表示するための制御手段を内蔵してなる表示装置にあって、表示装置の本体には、上記制御手段に接続され、操作者が保持する磁性体の近接状態を感知して、制御手段に対してメモリに記憶される複数のコンテンツ情報を選択的にＬＥＤ表示体あるいは液晶表示体に表示するための信号を出力可能とする磁気センサを備えることを特徴とする表示装置。
【請求項２】
表示装置の本体には、上記制御手段に接続され、操作者が保持する赤外線リモコン装置から発信される信号を受信して、制御手段に対してメモリに記憶される複数のコンテンツ情報を選択的にＬＥＤ表示体あるいは液晶表示体に表示するための信号を出力可能とする赤外線受光素子を併せて備えることとしてなる請求項1に記載の表示装置。
【請求項３】
上記制御手段は、操作者が保持する磁性体の近接状態を磁気センサが感知したことに基づき、磁気センサから出力される信号を受信することにより、メモリに記憶される複数のコンテンツ情報を予めメモリに記憶される順序で順次選択的にＬＥＤ表示体あるいは液晶表示体に表示することとしてなる請求項1または請求項２のいずれかに記載の表示装置。
【請求項４】
上記制御手段は、操作者が保持する磁性体の磁気センサに対する近接状態から磁性体を磁気センサから離隔させる動作に基づき、磁気センサから制御手段へ出力される信号がＯＦＦされる状態とし、その状態においてＬＥＤ表示体あるいは液晶表示体に表示されたメモリに記憶されているコンテンツ情報を、ＬＥＤ表示体あるいは液晶表示体において以後継続して表示することを実行可能とした請求項３に記載の表示装置。
【請求項５】
上記制御手段は、操作者が保持する磁性体の磁気センサに対する近接状態および磁性体を磁気センサから離隔させる動作を繰り返したことに基づき、磁気センサから制御手段へ出力される信号の受信がＯＮ及びＯＦＦが繰り返される状態とし、これにより予めメモリに設定され、記憶される順序で順次選択的にコンテンツ情報をＬＥＤ表示体あるいは液晶表示体に表示することを可能とした請求項３に記載の表示装置。
【請求項６】
制御手段は、該磁性体の磁気センサに対する所定時間内における連続的な近接状態に基づく磁気センサから出力される連続的な信号の受信状態により、メモリに記憶される複数のコンテンツ情報を予めメモリに記憶される順序で順次選択的かつ間欠的にＬＥＤ表示体あるいは液晶表示体に表示することとし、かつメモリに記憶される複数のコンテンツ情報を選択的に表示する時間間隔を可変に調整する手段を備えることとしてなる請求項３ないし請求項５のいずれかに記載の表示装置。
【請求項７】
上記制御手段は、操作者が保持する磁性体の近接状態を磁気センサが感知したことに基づき、磁気センサから出力される信号を受信することにより、メモリに記憶される複数のコンテンツ情報を予めメモリに記憶される順序で順次選択的にＬＥＤ表示体あるいは液晶表示体に表示する他、ＬＥＤ表示体あるいは液晶表示体に対する電源供給をＯＦＦするかまたは表示信号を無表示とする無表示モードに設定することも併せて可能としてなる請求項1ないし請求項６のいずれかに記載の表示装置。
【請求項８】
電源が投入され、かつ操作者が保持する磁性体の近接状態を磁気センサが感知したことに基づき、磁気センサから出力される信号を制御手段が受信することにより、ＬＥＤ表示体あるいは液晶表示体に表示する複数のコンテンツ情報の種類や内容、さらに複数のコンテンツ情報を選択的にＬＥＤ表示体あるいは液晶表示体に表示する順序や間隔の処理方法を含む最新のソフトウエアプログラムを外部メモリに対するアクセスあるいは外部ネットワークからのダウンロードにより更新する手段を備えることとしてなる請求項１ないし請求項７のいずれかに記載の表示装置。
【発明の詳細な説明】
【技術分野】
【０００１】
本発明は、例えば店頭や店舗内に設置され、店舗で販売される商品に関する情報や店舗で提供される役務に関する情報を表示し、マトリックス状のＬＥＤ表示体や液晶表示体にて構成される表示装置に関する。
【背景技術】
【０００２】
店頭や店舗内に設置され、店舗で販売される商品の情報（以下商品情報という）や店舗で提供される役務の情報（以下役務情報という）を表示する表示装置としては、従来より様々なタイプのものが存在し、その多くはマトリックス状のＬＥＤ表示体や平板状の液晶表示体を備え、マトリックス状のＬＥＤ表示体に関しては、店舗で販売される商品情報や店舗で提供される役務情報を複数のＬＥＤ素子の選択的点灯により文字、図形あるいは動画としてＬＥＤ表示体に表示するようにしている。また平板状の液晶表示体においては、店舗で販売される商品情報や店舗で提供される役務情報に対応する画像あるいは動画を画面に表示し、音声情報とともに通行人や入店者に認知させるようにしている。
【０００３】
こうした表示装置に関しては、マトリックス状のＬＥＤ表示体や平板状の液晶表示体に表示する商品情報、役務情報として予め複数のコンテンツを用意しておくのが一般であり、そうしたコンテンツ情報に関しては表示装置に内蔵されるメモリに記憶させたり、表示装置に接続可能な外部メモリ（ＵＳＢメモリ，ＳＤカード等）に記憶させ、店舗の表示装置の操作者が提供する商品や役務の内容により、例えば時間帯別、季節別に表示するコンテンツ情報の内容を切換え、表示装置に表示するようにしている。
【０００４】
加えて、最近では表示装置をインターネット回線やイントラネット回線に接続させ、デジタルサイネージ端末として用いることも盛んに行われている。そうした表示装置にあっては、店舗の商品情報、役務情報ばかりでなく、ニュース、天気予報、災害情報、地域のコミュニティ情報、さらにその店舗がチェーン店舗の場合、チェーン店の本部のサーバから送信されるリアルタイムの商品情報、役務情報を表示することも可能としている。
【０００５】
そうした表示装置にあって、店舗の表示装置の操作者は、提供する商品や役務の内容により、時間帯別、季節別に表示するコンテンツの内容を変更させたり、またコンテンツを自ら作成し、表示内容をカスタマイズして表示することも行われ、そうしたコンテンツの変更表示は下記特許文献１で開示されるようなリモコン装置により行うことが一般とされていた。すなわち、リモコン装置は赤外線によるコード信号を送信可能とし、表示装置には赤外線信号の受光部を備え、リモコン装置より送信されたコード信号により、表示装置に表示するコンテンツの内容を自由に設定し、変更することを可能とするものである。
【先行技術文献】
【特許文献】
【０００６】
【特許文献１】特開平１１−１６７３５９号
【０００７】
すなわち、こうした装置によれば、店舗の表示装置の操作者はリモコン装置を操作（リモコン装置によるコード信号の送信）することにより選択的に表示装置に内蔵されるメモリや表示装置に接続可能な外部メモリに記憶された複数のコンテンツ情報（商品情報、役務情報等）や、またネット回線に接続され外部より受信される様々なコンテンツ情報（例えばニュース、天気予報、災害情報、地域のコミュニティ情報、さらにチェーン店の本部のサーバから送信されるリアルタイムの商品情報、役務情報等）などを、表示装置のＬＥＤ表示体あるいは液晶表示体に表示することを可能としている。これにより、店舗の表示装置の操作者においては、その日において行われる特別のイベントや目玉商品に関する情報を表示装置に表示させたり（例えば「本日全商品１０％引き」、「本日、大間産の本マグロ入荷」など）や、さらに緊急の災害情報などもリモコン装置の操作により切換表示する事を可能にしている。
【発明の概要】
【発明が解決しようとする課題】
【０００８】
ところで、上記のようにリモコン装置の操作により、表示装置に表示させる情報（商品情報、役務情報等）をメモリ内に記憶された複数のコンテンツ情報から選択したり、ネット回線を通じて受信されるコンテンツ情報から選択し、切換表示する場合、リモコン装置に存在する複数のキーを操作して行う必要があり、店舗の表示装置の操作者が操作に慣れていない高齢者等の場合、操作が面倒とされていた。またこうしたリモコン装置の操作により、特別のイベントや目玉商品に関する情報をキー入力によりカスタマイズして作成したり、コンテンツ情報（商品情報、役務情報）に係る文字、図形あるいは動画を入力し、自らコンテンツ情報を作成することはほとんど困難とされ、たとえそうした機能が表示装置において設定されているとしても実際にほとんど利用されていないのが実態とされていた。
【０００９】
本願の発明者は、こうした従来の課題に着目し、表示装置に表示するコンテンツ情報を予め決められた形式でメモリに保存しておくことにより、操作者がそれらコンテンツの切換表示の操作を容易に行えるようにするものであり、且つそれを実現する構成が簡易であり、その結果として表示装置の機能性を高めることを目的とするものである。
【課題を解決するための手段】
【００１０】
上記目的を達成するため、本発明の請求項１は、複数個のＬＥＤ発光素子を面状に配列し、各ＬＥＤ発光素子を任意に点灯させ、表面に文字、図形、動画などからなる情報を表示可能とするＬＥＤ表示体、あるいは映像または画像を表示可能とする液晶表示体を表面に備え、該ＬＥＤ表示体あるいは液晶表示体に表示するコンテンツ情報の複数を記憶可能なメモリを内蔵または接続可能とし、さらに上記メモリに記憶される複数のコンテンツ情報を選択的にＬＥＤ表示体あるいは液晶表示体に表示するための制御手段を内蔵してなる表示装置にあって、表示装置の本体には、上記制御手段に接続され、操作者が保持する磁性体の近接状態を感知して、制御手段に対してメモリに記憶される複数のコンテンツ情報を選択的にＬＥＤ表示体あるいは液晶表示体に表示するための信号を出力可能とする磁気センサを備えることとしている。
【００１１】
また、本発明の請求項２は、表示装置の本体に、上記制御手段に接続され、操作者が保持する赤外線リモコン装置から発信される信号を受信して、制御手段に対してメモリに記憶される複数のコンテンツ情報を選択的にＬＥＤ表示体あるいは液晶表示体に表示するための信号を出力可能とする赤外線受光素子を併せて備えることとしている請求項1に記載の表示装置としている。
【００１２】
また、本発明の請求項３は、上記制御手段が、操作者が保持する磁性体の近接状態を磁気センサが感知したことに基づき、磁気センサから出力される信号を制御手段が受信することにより、メモリに記憶される複数のコンテンツ情報を予めメモリに記憶される順序で順次選択的にＬＥＤ表示体あるいは液晶表示体に表示することとしてなる請求項1または請求項２のいずれかに記載の表示装置としている。
【００１３】
また、本発明の請求項４は、上記制御手段が、操作者が保持する磁性体の磁気センサに対する近接状態から磁性体を磁気センサから離隔させる動作に基づき、磁気センサから出力される信号を制御手段がＯＦＦ信号として受信することによりその状態においてＬＥＤ表示体あるいは液晶表示体に表示されているメモリに記憶されるコンテンツ情報を、ＬＥＤ表示体あるいは液晶表示体において以後継続して表示することを実行可能とした請求項３に記載の表示装置としている。
【００１４】
また、本発明の請求項５は、上記制御手段は、操作者が保持する磁性体の磁気センサに対する近接状態および磁性体を磁気センサから離隔させる動作を繰り返したことに基づき、磁気センサから制御手段へ出力される信号の受信がＯＮ及びＯＦＦが繰り返される状態とし、これにより予めメモリに設定され、記憶される順序で順次選択的にコンテンツ情報をＬＥＤ表示体あるいは液晶表示体に表示することを可能とした請求項３に記載の表示装置としている。
【００１５】
また、本発明の請求項６は、制御手段が、該磁性体の磁気センサに対する所定時間内における連続的な近接状態に基づく磁気センサから出力される連続的な信号の受信状態により、メモリに記憶される複数のコンテンツ情報を予めメモリに記憶される順序で順次選択的にＬＥＤ表示体あるいは液晶表示体に表示することとし、かつメモリに記憶される複数のコンテンツ情報を選択的に表示する時間間隔を可変に調整する手段を備えることとしてなる請求項３ないし請求項５のいずれかに記載の表示装置としている。
【００１６】
また、本発明の請求項７は、上記制御手段が、操作者が保持する磁性体の近接状態を磁気センサが感知したことに基づき、磁気センサから出力される信号を受信することにより、メモリに記憶される複数のコンテンツ情報を予めメモリに記憶される順序で順次選択的にＬＥＤ表示体あるいは液晶表示体に切換表示する他、ＬＥＤ表示体あるいは液晶表示体に対する電源供給をＯＦＦするかまたは表示信号を無表示とする無表示モードに設定することも併せて可能としてなる請求項1ないし請求項６のいずれかに記載の表示装置としている。
【００１７】
さらに、本発明の請求項８は、電源が投入され、かつ操作者が保持する磁性体の近接状態を磁気センサが感知したことに基づき、磁気センサから出力される信号を制御手段が 受信することにより 、ＬＥＤ 表示体あるいは液晶表示体に表示する複数のコンテンツ情報の種類や内容、さらに複数のコンテンツ情報を選択的にＬＥＤ表示体あるいは液晶表示体に表示する順序や間隔の処理方法を含む最新のソフトウエアプログラムを外部メモリに対するアクセスあるいは外部インターファース２２を通じてネットワークからのダウンロードにより更新する手段を備えることとしてなる請求項１ないし請求項７のいずれかに記載の表示装置としている。
【発明の効果】
【００１８】
本発明に係る表示装置によれば、表示装置の本体に制御手段に接続され、操作者が保持する磁性体の近接状態を感知して、制御手段に対してメモリに記憶される複数のコンテンツ情報を選択的にＬＥＤ表示体あるいは液晶表示体に表示するための信号を送信可能とする磁気センサを備えることとしたため、表示装置に表示するコンテンツ情報の選択表示の操作を、磁気センサに対する磁性体の近接または離隔という簡易な構成により実現することが可能となり、表示装置の機能性を高めることできるという効果がある。
【図面の簡単な説明】
【００１９】
【図１】本発明の実施形態に係る表示装置の正面図である。
【図２】図１のII−II線に沿う断面図である。
【図３】表示装置の斜視図である。
【図４】表示装置を遠隔操作するためのリモートコントローラを示す平面図である。
【図５】表示装置の構成を示すブロック図である。
【図６】メモリ内に記憶されるＬＥＤ表示体に表示される各コンテンツ情報の内容を示すコンテンツリストである。
【図７】メモリ内に記憶される液晶表示体に表示される各コンテンツ情報の内容を示すコンテンツリストである。
【図８】（Ａ）はＬＥＤ表示体に表示される画像１のコンテンツ内容の詳細を示すリスト、（Ｂ）はＬＥＤ表示体に表示される画像２のコンテンツ内容の詳細を示すリスト、（Ｃ）はＬＥＤ表示体に表示される画像３のコンテンツ内容の詳細を示すリストである。
【図９】（Ａ）は液晶表示体に表示される画像１のコンテンツ内容の詳細を示すリスト、（Ｂ）は液晶表示体に表示される画像２のコンテンツ内容の詳細を示すリスト、（Ｃ）は液晶表示体に表示される画像３のコンテンツ内容の詳細を示すリストである。
【図１０】（Ａ）は磁気センサが磁性体の近接を感知したことに基づき、液晶表示体あるいはＬＥＤ表示体に表示するコンテンツ情報を切換えるプロセスを示す状態図、（Ｂ）は磁気センサから磁性体を離隔させたことに基づき、液晶表示体あるいはＬＥＤ表示体に表示するコンテンツ情報の選択および設定するプロセスを示す状態図である。
【発明を実施するための形態】
【００２０】
以下、本発明の一実施形態に係る表示装置を図１ないし図５に基づいて説明する。実施形態に係る表示装置１は、図１ないし図３に示すように全体平板状からなり、例えば店頭や店舗内に設置され、店舗で販売される商品の情報や店舗で提供される役務の情報を表示するものとされる。すなわち、表示装置１は、正面上方に矩形状からなる平板状の液晶表示体２を、正面下方に同じく矩形状からなる平板状のＬＥＤ表示体３を備えてなり、各表示体２，３においては店舗で販売される商品情報や店舗で提供される役務情報が表示可能される。
【００２１】
表示装置1において、液晶表示体２は図２に示すように前面側に表示画面を備えた液晶モジュールにより構成され、またＬＥＤ表示体３は前面側に複数個のＬＥＤ発光素子をマトリックス状に配設して構成されるＬＥＤ発光モジュールにより構成され、液晶モジュールやＬＥＤ発光モジュールは、表示装置1を構成する筐体４の内部に収容される。また表示装置１の筐体４の内部には、コントロール基板５、電源回路６がそれぞれ内蔵される。前面側を表示画面とした液晶表示体２、前面側に複数個のＬＥＤ発光素子を備えて構成されるＬＥＤ表示体３の前面側には、筐体４前面側を覆う状態で透明樹脂板７が配設される。すなわち、表示装置１を看る看者においては、店頭や店舗内に該表示装置１が設置される状態において、店舗で販売される商品情報や店舗で提供される役務情報を、液晶表示体２やＬＥＤ表示体３に映し出される画像情報、映像情報として認識することが可能となり、液晶表示体２においては、店舗で販売される商品情報や店舗で提供される役務情報に対応する画像あるいは動画を画面に表示し、不図示のスピーカから発声される音声情報とともに通行人や入店者に認知させることを可能にしている。またＬＥＤ表示体３においては、複数のＬＥＤ素子の選択的点灯により文字あるいは図形で商品情報、役務情報を表出し、同じく不図示のスピーカから発声される音声情報とともに通行人や入店者に認知させることを可能にしている。
【００２２】
こうした表示装置１の液晶表示体２やＬＥＤ表示体３に表示する商品情報、役務情報については、予め複数のコンテンツ情報として表示装置１のコントロール基板５に備えられるメモリに記憶させておくのが一般とされる。すなわち、そうしたコンテンツ情報に関しては、表示装置１に内蔵されるメモリに記憶させたり、表示装置１に接続可能な外部メモリ（ＵＳＢメモリ，ＳＤカード等）に記憶させ、店舗の表示装置の操作者が提供する商品や役務の内容により、例えば時間帯別、季節別に表示するコンテンツ情報の内容を切換え、液晶表示体２やＬＥＤ表示体３に表示するようにしている。
【００２３】
実施形態に係る表示装置１において、正面から観た右側下方位置には、赤外線受光素子８と磁気センサ９が上下並んで配設される。これら各センサ８，９は、筐体４前面側を覆う透明樹脂板７の内部に配設され、先ず、赤外線受光素子８は、例えば図４で示すような操作者が保持する赤外線リモコン装置１０から発信される信号を、透明樹脂板７を透過する状態で受信可能とし、表示装置１において、液晶表示体２やＬＥＤ表示体３に表示する商品情報、役務情報に係り、予めメモリに記憶される複数のコンテンツ情報を選択的にＬＥＤ表示体３あるいは液晶表示体２に表示するための信号を表示装置１のコントロール基板５内の制御手段に出力可能としている。
【００２４】
一方磁気センサ９は、図３に示すように筐体４の内側かつ透明樹脂板７に近接され、操作者が保持するストラップ１１が付着された磁性体１２を感知可能としている。すなわち磁気センサ９と磁性体１２の間隔が、通常約１０ｍｍ以下から最接近する近接状態（図２に示す磁気センサ９に対する磁性体１２の近接状態）を感知した状態において、表示装置１において、液晶表示体２やＬＥＤ表示体３に表示する商品情報、役務情報に係り、予めメモリに記憶される複数のコンテンツ情報を選択的にＬＥＤ表示体２あるいは液晶表示体２に表示するための信号を表示装置１のコントロール基板５内の制御手段に出力可能としている。
【００２５】
実施形態に係る表示装置１のコントロール基板５内の制御手段は、図５のブロック図に示す各回路構成を備える。すなわち、制御手段は、赤外線受光素子８において赤外線リモコン装置１０から発信される信号を受信し、該信号（コード信号）に基づき、リモコン装置１０から表示装置１に対し送信され、指示されたコマンドをＣＰＵ１３に実行させる赤外線信号に基づくコマンド制御部１４を備える。また、制御手段は、磁気センサ９が磁性体１２の近接状態を感知した状態において、該感知に基づき、予めメモリ１７に記憶される複数のコンテンツ情報を選択的にＬＥＤ表示体３あるいは液晶表示体２に表示するためのコマンドをＣＰＵ１３に実行させる磁気センサの感知に基づくコマンド制御部１５を併せて備える。
【００２６】
図５のブロック図に示すように制御手段には、制御プログラム１６，メモリ１７，タイマ１８のそれぞれが備えられる。メモリ１７内には、液晶表示体２やＬＥＤ表示体３に表示する商品情報、役務情報に係り、予めメモリに記憶される複数のコンテンツ情報を選択的にＬＥＤ表示体３あるいは液晶表示体２に表示するための複数のコンテンツが記憶される他、既にＬＥＤ表示体３あるいは液晶表示体２で表示されたコンテンツ別の表示回数、消費電力などデータが記憶されるようにしている。また制御プログラム１６は、ＬＥＤ表示体３あるいは液晶表示体２で表示するコンテンツの表示間隔，表示画像や音声出力パターン等設定別のプログラムソフトウェアが記憶される。さらにタイマ１８は計時回路や現在時刻を記憶する時計回路からなり、表示装置１の制御手段における時間管理や信号処理のタイミング管理の際に利用可能とされる。
【００２７】
さらに、制御手段には、メモリ１７に記憶される複数のコンテンツ情報を選択的にＬＥＤ表示体３あるいは液晶表示体２に表示するための表示制御部１９，メモリ１７に記憶される複数のコンテンツ情報中の音声情報を表示装置のスピーカ２１に向けて出力することを制御する音声出力制御部２０を備えてなる。
【００２８】
ここでメモリ１７に記憶される複数のコンテンツ情報に関しては、「営業中」、「休憩中」などの規定の表示情報の他、例えば表示装置１の操作者が自らデジタルカメラ、デジタルビデオで画像、映像を制作し、コンピュータ等で編集して外部インターフェイス２２から入力したものを用いることとしてもよく、その場合外部インターフェイス２２に操作者が制作したコンテンツ情報を記憶する外部メモリ２３（ＵＳＢメモリ，ＳＤカード等）を接続して行うようにしている。さらに、表示装置１においては、外部インターフェイス２２をネットワーク回線（インターネット，イントラネット等）に接続させ、外部で制作されたコンテンツ情報をダウンロードし、例えばチェーン店の本部から送信される商品情報や役務情報に係るコンテンツ情報を定期的に受信し、メモリ１７内で記憶させることも可能とされる。
【００２９】
実施形態に係るメモリ１７においては、ＬＥＤ表示体３に表示可能とされる規定のコンテンツ情報が予め記憶される他、上記のように外部インターフェイス２２を介し、ネットワーク回線や外部メモリ２３から入力され、ＬＥＤ表示体３に表示可能とされるカスタマイズされたコンテンツ情報が複数記憶され、例えば図６のようにコンテンツごとにＩｎｄｅｘ  Ｎｏ．を付記され、保存されることとなる。図６に示す保存のパターンでは、Ｉｎｄｅｘ  Ｎｏ．１が画像１，Ｉｎｄｅｘ  Ｎｏ．２が画像２，Ｉｎｄｅｘ  Ｎｏ．３が画像３，Ｉｎｄｅｘ  Ｎｏ．４が天気予報，Ｉｎｄｅｘ  Ｎｏ．５がニュース，Ｉｎｄｅｘ  Ｎｏ．６が地域ニュース，Ｉｎｄｅｘ  Ｎｏ．７が緊急災害情報となる。ここでメモリ１７においては、Ｉｎｄｅｘ  Ｎｏ．ｎまでコンテンツ情報が記憶されることになり、ちなみにＩｎｄｅｘ  Ｎｏ．０として表示ＯＦＦを設定し、記憶させることが可能とされる。さらにＩｎｄｅｘ  Ｎｏ．ｎ+１においては、Ｉｎｄｅｘ  Ｎｏ．１からＩｎｄｅｘ  Ｎｏ．ｎまでの各コンテンツ情報を連続して繰り返し、ＬＥＤ表示体３に表示させるモードとされる。
【００３０】
同様に、メモリ１７においては、液晶表示体２に表示可能とされるコンテンツ情報が複数記憶され、例えば図７のようにコンテンツごとにＩｎｄｅｘ  Ｎｏ．を付記され、保存されることとなる。図７に示す保存のパターンでは、Ｉｎｄｅｘ  Ｎｏ．１が画像１，Ｉｎｄｅｘ  Ｎｏ．２が画像２，Ｉｎｄｅｘ  Ｎｏ．３が画像３，Ｉｎｄｅｘ  Ｎｏ．４が天気予報，Ｉｎｄｅｘ  Ｎｏ．５がニュース，Ｉｎｄｅｘ  Ｎｏ．６が地域ニュース，Ｉｎｄｅｘ  Ｎｏ．７が緊急災害情報となる。ここでメモリ１７においては、Ｉｎｄｅｘ  Ｎｏ．ｎまでコンテンツ情報が記憶されることになり、ちなみにＩｎｄｅｘ  Ｎｏ．０として表示ＯＦＦを設定し、記憶させることが可能とされる。さらにＩｎｄｅｘ  Ｎｏ．ｎ+１においては、Ｉｎｄｅｘ  Ｎｏ．１からＩｎｄｅｘ  Ｎｏ．ｎまでの各コンテンツ情報を連続して繰り返し、液晶表示体２に表示させるモードとされる。
【００３１】
Ｉｎｄｅｘ  Ｎｏ．ごとにメモリに記憶され、ＬＥＤ表示体３に表示可能とされるコンテンツ情報の具体的内容としては、例えば図８（Ａ）ないし図８（Ｃ）に示すようなものが存在し、図８（Ａ）に示す例では、図６のＩｎｄｅｘ  Ｎｏ．１の画像１として、「営業中」の文字情報が所定の動作モード、速度、画像表示時間、繰り返し回数をもって表示されることとなる。また図８（Ｂ）に示す例では、図６のＩｎｄｅｘ  Ｎｏ．２の画像２として、「さんま定食  ５００円」の文字情報が所定の動作モード、速度、画像表示時間、繰り返し回数をもって表示されることとなる。さらに、図８（Ｃ）に示す例では、図６のＩｎｄｅｘ  Ｎｏ．３の画像３として、さんまが焼けているイラスト画像情報が所定の動作モード、速度、画像表示時間、繰り返し回数をもって表示されることとなる。
【００３２】
またＩｎｄｅｘ  Ｎｏ．ごとにメモリに記憶され、液晶表示体２に表示可能とされるコンテンツ情報の具体的内容としては、例えば図９（Ａ）ないし図９（Ｃ）に示すようなものが存在し、図９（Ａ）に示す例では、図７のＩｎｄｅｘ  Ｎｏ．１の画像１として、レストラン名、「営業中」、ランチタイム情報に関する静止画情報が所定の動作モード、速度、画像表示時間、繰り返し回数をもって表示されることとなる。また図９（Ｂ）に示す例では、図７のＩｎｄｅｘ  Ｎｏ．２の画像２として、料理の画像に「パーティー予約承ります」の文字をスクロールさせた動画に関する動画情報が所定の動作モード、指定の繰り返し回数をもって表示されることとなる。さらに、図９（Ｃ）に示す例では、図７のＩｎｄｅｘ  Ｎｏ．３の画像３として、テーブル上のワイングラスと料理の動画に更にコマーシャルメッセージをスクロールさせた動画に関する動画情報が所定の動作モード、指定の繰り返し回数をもって表示されることとなる。
【００３３】
表示装置１のＯＮ・ＯＦＦ操作は、図４に示す赤外線リモコン装置１０を用いて行われ、ＯＮ・ＯＦＦスイッチ２４を操作することにより行われる。赤外線リモコン装置１０の各種操作は、リモコン装置１０の発光部２５を表示装置１の前面の赤外線受光素子８に指向させ、発光部２５より対応する光コード信号を受光素子８に送信することにより行うようにしている。
【００３４】
例えば、表示装置１における各種設定（映像設定，画像設定，音声設定，コンテンツ切換時間間隔の設定，コンテンツの複合表示の設定等）は、リモコン装置１０の機能設定ボタン２６を押し、液晶表示体２あるいはＬＥＤ表示体３に表示された各種表示をテンキー２７や送りスイッチ２８及び戻りスイッチ２９を選択操作することにより行うことが可能とされる。
【００３５】
メモリ１７に記憶されるコンテンツ情報のうち、赤外線リモコン装置１０を用いての液晶表示体２に対する切換表示は、リモコン装置１０コンテンツスイッチ３０を押し、液晶表示体２に表示された液晶表示体コンテンツ情報切換モードを送りスイッチ２８及び戻りスイッチ２９を選択することで行われる。すなわち、赤外線受光素子８において赤外線リモコン装置１０から発信されるコンテンツ情報の切換表示に対応する信号が受信されると、該信号（コード信号）に基づいてコマンド制御部１４がＣＰＵ１３にメモリ１７に記憶される対応するコンテンツ情報に係る信号を表示制御部１９、音声出力制御部２０に出力させることとなる。これに基づいて液晶表示体２に対応するコンテンツ情報を表示することが可能となる（図５参照）。
【００３６】
同様にメモリ１７に記憶されるコンテンツ情報のうち、赤外線リモコン装置１０を用いてのＬＥＤ表示体３に対する切換表示は、リモコン装置１０のコンテンツスイッチ３０を押し、ＬＥＤ表示体３に表示されたＬＥＤ表示体コンテンツ情報切換モードをスイッチ２８及び戻りスイッチ２９を選択することで行われる。すなわち、赤外線受光素子８において赤外線リモコン装置１０から発信されるコンテンツ情報の切換表示に対応する信号を受信されると、該信号（コード信号）に基づいてコマンド制御部１４がＣＰＵ１３にメモリ１７に記憶される対応するコンテンツ情報に係る信号を表示制御部１９、音声出力制御部２０に出力させることとなる。これに基づいてＬＥＤ表示体３に対応するコンテンツ情報を表示することが可能となる（図５参照）。
【００３７】
次にメモリ１７に記憶されるコンテンツ情報のうち、磁性体１２を磁気センサ９に近接させ、表示装置１の液晶表示体２において、メモリ１７に記憶される複数のコンテンツ情報を切換表示させる方法についての詳細を説明する。磁気センサ９が磁性体１２の近接状態（図２に示す磁気センサ９に対する磁性体１２の近接状態あるいは磁性体１２の磁気センサ９に対する１０ｍｍ以下の近接状態）を感知した状態において、表示装置１の液晶表示体２において、例えば図７に示すようにコンテンツ情報が順次液晶表示体２において切換表示されることになる。すなわち、図７に示す例では、Ｉｎｄｅｘ  Ｎｏ．１→Ｉｎｄｅｘ  Ｎｏ．２→Ｉｎｄｅｘ  Ｎｏ．３→Ｉｎｄｅｘ  Ｎｏ．４→Ｉｎｄｅｘ  Ｎｏ．５→Ｉｎｄｅｘ  Ｎｏ．６→Ｉｎｄｅｘ  Ｎｏ．７、さらにＩｎｄｅｘ  Ｎｏ．n+１（Ｉｎｄｅｘ  Ｎｏ．１からＩｎｄｅｘ  Ｎｏ．７までの各コンテンツ情報を連続して繰り返し、液晶表示体２に表示させるモード）のように順次液晶表示体２の画面において、表示されるコンテンツ情報をインデックス順に歩進させるように切換えることを可能にしている（図７の矢印に示す周回状態参照）。なお、磁性体１２の磁気センサ９に対する近接により、液晶表示体２に各コンテンツ情報の内容を表示させる場合において、各Ｉｎｄｅｘ  Ｎｏ．のコンテンツ情報をそのまま表示させてもよく、また対応するＩｎｄｅｘ  Ｎｏ．のみを表示させるようにしてもよい。さらに各Ｉｎｄｅｘ  Ｎｏ．のコンテンツ情報に対応するダイジェストを液晶表示体２に表示させるようにしてもよい。その一つのコンテンツの表示時間は図１０に示す表示間隔による。
【００３８】
ここでメモリ１７に記憶されるコンテンツ情報がＩｎｄｅｘ  Ｎｏ．ｎまで記憶されている場合、Ｉｎｄｅｘ  Ｎｏ．１からＩｎｄｅｘ  Ｎｏ．ｎ+１まで順次コンテンツ情報が表示装置１の液晶表示体２に切換表示されることとなり、Ｉｎｄｅｘ  Ｎｏ．ｎ+１まで切り換えられた次は、Ｉｎｄｅｘ  Ｎｏ．０の表示ＯＦＦまで周回し、次の切換えによりＩｎｄｅｘ  Ｎｏ．１に戻り、再度Ｉｎｄｅｘ  Ｎｏ．１からＩｎｄｅｘ  Ｎｏ．ｎ+１まで順次コンテンツ情報が表示装置１の液晶表示体２に切換表示されることとなる。そして仮にメモリ１７に記憶されるコンテンツ情報がＩｎｄｅｘ  Ｎｏ．７までしか存在しない場合は、Ｉｎｄｅｘ  Ｎｏ．１からＩｎｄｅｘ  Ｎｏ．７まで順次コンテンツ情報が表示装置１の液晶表示体２に切換表示されることとなり、コンテンツ情報の無いＩｎｄｅｘ  Ｎｏ．を飛ばしてＩｎｄｅｘ  Ｎｏ．ｎ+１となり、次の切り換えにより、Ｉｎｄｅｘ  Ｎｏ．０の表示ＯＦＦまで周回し、次の切換えによりＩｎｄｅｘ  Ｎｏ．１に戻り、それが繰り返されることとなる。
【００３９】
表示装置１の液晶表示体２において前記切換表示された複数のコンテンツ情報のうち操作者が意図した一つのＩｎｄｅｘ  Ｎｏ．のコンテンツを、以後液晶表示体２において映像出力、画像出力として固定出力させる場合、磁気センサ９に対し、近接状態にあった磁性体１２を磁気センサ９から図１０（Ｂ）のようなタイミングで離隔させることによって行うことが可能となる。すなわち、磁気センサ９は、図２に示す磁気センサ９に対する磁性体１２の近接状態あるいは磁性体１２の磁気センサ９に対する１０ｍｍ以下の近接状態において、磁気センサ９が磁性体１２の感知に基づくＯＮ信号をコマンド制御部１５に出力することとなる。ここでコマンド制御部１５は、図１０（Ａ）に示すようにこうしたＯＮ信号が連続して入力されている間は、図７に示す周回順序にしたがって、Ｉｎｄｅｘ  Ｎｏ．１→Ｉｎｄｅｘ  Ｎｏ．２→Ｉｎｄｅｘ  Ｎｏ．３→Ｉｎｄｅｘ  Ｎｏ．４→Ｉｎｄｅｘ  Ｎｏ．５→Ｉｎｄｅｘ  Ｎｏ．６→Ｉｎｄｅｘ  Ｎｏ．７→Ｉｎｄｅｘ  Ｎｏ．ｎ+１→Ｉｎｄｅｘ  Ｎｏ．０のように、ＣＰＵ１３にメモリ１７に記憶される対応するコンテンツ情報に係る信号を順次表示制御部１９、音声出力制御部２０に切換、出力させることとなる（図５参照）。これに基づき、液晶表示体２には、図７に示す周回順序にしたがって連続的に各コンテンツ情報（Ｉｎｄｅｘ  Ｎｏ．１〜Ｉｎｄｅｘ  Ｎｏ．０）が繰り返し、切換表示されることとなる。ここでＩｎｄｅｘ  Ｎｏ．１〜Ｉｎｄｅｘ  Ｎｏ．０の各コンテンツ情報が液晶表示体２において表示され、次のコンテンツ情報に切換表示される時間間隔（図１０（Ａ）の各表示間隔）は、赤外線リモコン装置１０の機能設定ボタン２６を押し、複数の各コンテンツ情報（Ｉｎｄｅｘ  Ｎｏ．１〜Ｉｎｄｅｘ  Ｎｏ．０）を選択的に表示する時間間隔を可変に調整することが可能となる。
【００４０】
図７に示す周回順序（Ｉｎｄｅｘ  Ｎｏ．１→Ｉｎｄｅｘ  Ｎｏ．２→Ｉｎｄｅｘ  Ｎｏ．３→Ｉｎｄｅｘ  Ｎｏ．４→Ｉｎｄｅｘ  Ｎｏ．５→Ｉｎｄｅｘ  Ｎｏ．６→Ｉｎｄｅｘ  Ｎｏ．７→Ｉｎｄｅｘ  Ｎｏ．ｎ+１→Ｉｎｄｅｘ  Ｎｏ．０）にしたがって切換表示される切換表示時点Ｐから０．５秒の感知反応時間Ｑ（図１０（Ｂ）参照）以内に磁性体１２を磁気センサ９から１０ｍｍ以上離隔させた場合、磁気センサ９からコマンド制御部１５に出力されていた磁性体１２の感知に基づくＯＮ信号がＯＦＦとなり、この時表示されているＩｎｄｅｘ  Ｎｏ．に相当するコンテンツ情報が前記時間間隔の制限を受けることなく全てが何度も継続的に表示されることとなる。すなわち、コマンド制御部１５はＣＰＵ１３にメモリ１７に記憶され、液晶表示体２において切換表示されたコンテンツ情報に係る信号を以後表示制御部１９、音声出力制御部２０に何度も繰り返し出力させることとなる。このように操作者は磁性体１２を操作することにより、Ｉｎｄｅｘ  Ｎｏ．1からＩｎｄｅｘ  Ｎｏ．ｎのうちの１つ選ぶことにより複数あるコンテンツ情報の所望の一つを選択的かつ継続的に液晶表示体２に表示したり、Ｉｎｄｅｘ  Ｎｏ．０を選べば液晶表示体２の表示をＯＦＦ状態にしたり、Ｉｎｄｅｘ  Ｎｏ．n+1を選べば複数あるコンテンツの連続繰返表示を行ったりすることが可能である。なお、Ｉｎｄｅｘ  Ｎｏ．０に切換えられた状態においては、液晶表示体２への電力供給そのものをＯＦＦさせるようにしてもよく、また液晶表示体２への電力供給は行うものの表示のみＯＦＦさせるようにしてもよい。
【００４１】
この図１０（Ｂ）に示す感知反応時間Ｑ（図１０（Ｂ）に示す例では切換表示時点Ｐから０．５秒）については、コマンド制御部１５において記憶され、規定される。この感知反応時間Ｑに関しては固定的に設定されるほか、可変に調整することも可能であり、その場合赤外線リモコン装置１０の機能設定ボタン２６を押して入力設定することができる。
【００４２】
同様にメモリ１７に記憶されるコンテンツ情報のうち、磁性体１２を磁気センサ９に近接させ、表示装置１のＬＥＤ表示体３において、メモリ１７に記憶される複数のコンテンツ情報を切換表示させる方法についての詳細を説明する。磁気センサ９が磁性体１２の近接状態（図２に示す磁気センサ９に対する磁性体１２の近接状態あるいは磁性体１２の磁気センサ９に対する１０ｍｍ以下の近接状態）を感知した状態において、表示装置１のＬＥＤ表示体３において、例えば図６に示すようにコンテンツ情報が順次ＬＥＤ表示体３において切換表示されることになる。すなわち、図６に示す例では、Ｉｎｄｅｘ  Ｎｏ．１→Ｉｎｄｅｘ  Ｎｏ．２→Ｉｎｄｅｘ  Ｎｏ．３→Ｉｎｄｅｘ  Ｎｏ．４→Ｉｎｄｅｘ  Ｎｏ．５→Ｉｎｄｅｘ  Ｎｏ．６→Ｉｎｄｅｘ  Ｎｏ．７、さらにＩｎｄｅｘ  Ｎｏ．n+１（Ｉｎｄｅｘ  Ｎｏ．１からＩｎｄｅｘ  Ｎｏ．７までの各コンテンツ情報を連続して繰り返し、LED表示体３に表示させるモード）のように順次LED表示体３の画面において、表示されるコンテンツ情報をインデックス順に歩進させるように切換えることを可能にしている（図６の矢印に示す周回状態参照）。なお、磁性体１２の磁気センサ９に対する近接により、LED表示体３に各コンテンツ情報の内容を表示させる場合において、各Ｉｎｄｅｘ  Ｎｏ．のコンテンツ情報をそのまま表示させてもよく、また対応するＩｎｄｅｘ  Ｎｏ．のみを表示させるようにしてもよい。さらに各Ｉｎｄｅｘ  Ｎｏ．のコンテンツ情報に対応するダイジェストをLED表示体３に表示させるようにしてもよい。その一つのコンテンツの表示時間は図１０に示す表示間隔による。
【００４３】
ここでメモリ１７に記憶されるコンテンツ情報がＩｎｄｅｘ  Ｎｏ．ｎまで記憶されている場合、Ｉｎｄｅｘ  Ｎｏ．１からＩｎｄｅｘ  Ｎｏ．ｎ+１まで順次コンテンツ情報が表示装置１のＬＥＤ表示体３に切換表示されることとなり、Ｉｎｄｅｘ  Ｎｏ．ｎ+１まで切り換えられた次は、Ｉｎｄｅｘ  Ｎｏ．０の表示ＯＦＦまで周回し、次の切換えによりＩｎｄｅｘ  Ｎｏ．１に戻り、再度Ｉｎｄｅｘ  Ｎｏ．１からＩｎｄｅｘ  Ｎｏ．ｎ+１まで順次コンテンツ情報が表示装置１のLED表示体３に切換表示されることとなる。そして仮にメモリ１７に記憶されるコンテンツ情報がＩｎｄｅｘ  Ｎｏ．７までしか存在しない場合は、Ｉｎｄｅｘ  Ｎｏ．１からＩｎｄｅｘ  Ｎｏ．７まで順次コンテンツ情報が表示装置１のLED表示体３に切換表示されることとなり、コンテンツ情報の無いＩｎｄｅｘ  Ｎｏ．を飛ばしてＩｎｄｅｘ  Ｎｏ．ｎ+１となり、次の切り換えにより、Ｉｎｄｅｘ  Ｎｏ．０の表示ＯＦＦまで周回し、次の切換えによりＩｎｄｅｘ  Ｎｏ．１に戻り、それが繰り返されることとなる。
【００４４】
表示装置１のLED表示体３において前記切換表示された複数のコンテンツ情報のうち操作者が意図した一つのＩｎｄｅｘ  Ｎｏ．の内コンテンツを、以後ＬＥＤ表示体３において映像出力、画像出力として固定出力させる場合、磁気センサ９に対し、近接状態にあった磁性体１２を磁気センサ９から図１０（Ｂ）のようなタイミングで離隔させることによって行うことが可能となる。すなわち、磁気センサ９は、図２に示す磁気センサ９に対する磁性体１２の近接状態あるいは磁性体１２の磁気センサ９に対する１０ｍｍ以下の近接状態において、磁気センサ９が磁性体１２の感知に基づくＯＮ信号をコマンド制御部１５に出力することとなる。ここでコマンド制御部１５は、図１０（Ａ）に示すようにこうしたＯＮ信号が連続して入力されている間は、図６に示す周回順序にしたがって、Ｉｎｄｅｘ  Ｎｏ．１→Ｉｎｄｅｘ  Ｎｏ．２→Ｉｎｄｅｘ  Ｎｏ．３→Ｉｎｄｅｘ  Ｎｏ．４→Ｉｎｄｅｘ  Ｎｏ．５→Ｉｎｄｅｘ  Ｎｏ．６→Ｉｎｄｅｘ  Ｎｏ．７→Ｉｎｄｅｘ  Ｎｏ．ｎ+１→Ｉｎｄｅｘ  Ｎｏ．０のように、ＣＰＵ１３にメモリ１７に記憶される対応するコンテンツ情報に係る信号を順次表示制御部１９、音声出力制御部２０に切換、出力させることとなる（図５参照）。これに基づき、LED表示体３には、図６に示す周回順序にしたがって連続的に各コンテンツ情報（Ｉｎｄｅｘ  Ｎｏ．１〜Ｉｎｄｅｘ  Ｎｏ．０）が繰り返し、切換表示されることとなる。ここでＩｎｄｅｘ  Ｎｏ．１〜Ｉｎｄｅｘ  Ｎｏ．０の各コンテンツ情報がLED表示体３において表示され、次のコンテンツ情報に切換表示される時間間隔（図１０（Ａ）の各表示間隔）は、赤外線リモコン装置１０の機能設定ボタン２６を押し、複数の各コンテンツ情報（Ｉｎｄｅｘ  Ｎｏ．１〜Ｉｎｄｅｘ  Ｎｏ．０）を選択的に表示する時間間隔を可変に調整することが可能となる。
【００４５】
図６に示す周回順序（Ｉｎｄｅｘ  Ｎｏ．１→Ｉｎｄｅｘ  Ｎｏ．２→Ｉｎｄｅｘ  Ｎｏ．３→Ｉｎｄｅｘ  Ｎｏ．４→Ｉｎｄｅｘ  Ｎｏ．５→Ｉｎｄｅｘ  Ｎｏ．６→Ｉｎｄｅｘ  Ｎｏ．７→Ｉｎｄｅｘ  Ｎｏ．ｎ+１→Ｉｎｄｅｘ  Ｎｏ．０）にしたがって切換表示される切換表示時点Ｐから０．５秒の感知反応時間Ｑ（図１０（Ｂ）参照）以内に磁性体１２を磁気センサ９から１０ｍｍ以上離隔させた場合、磁気センサ９からコマンド制御部１５に出力されていた磁性体１２の感知に基づくＯＮ信号がＯＦＦとなり、この時表示されているＩｎｄｅｘ  Ｎｏ．に相当するコンテンツ情報が前記時間間隔の制限を受けることなく全てが何度も継続的に表示されることとなる。すなわち、コマンド制御部１５はＣＰＵ１３にメモリ１７に記憶され、ＬＥＤ表示体３において切換表示されたコンテンツ情報に係る信号を以後表示制御部１９、音声出力制御部２０に何度も繰り返し出力させることとなる。このように操作者は磁性体１２を操作することにより、Ｉｎｄｅｘ  Ｎｏ．1からＩｎｄｅｘ  Ｎｏ．ｎのうちの１つ選ぶことにより複数あるコンテンツ情報の所望の一つを選択的かつ継続的にＬＥＤ表示体３に表示したり、Ｉｎｄｅｘ  Ｎｏ．０を選べばＬＥＤ表示体３の表示をＯＦＦ状態にしたり、Ｉｎｄｅｘ  Ｎｏ．n+1を選べば複数あるコンテンツの連続繰返表示を行ったりすることが可能である。なお、Ｉｎｄｅｘ  Ｎｏ．０に切換えられた状態においては、ＬＥＤ表示体３への電力供給そのものをＯＦＦさせるようにしてもよく、またＬＥＤ表示体３への電力供給は行うものの表示のみＯＦＦさせるようにしてもよい。
【００４６】
この図１０（Ｂ）に示す感知反応時間Ｑ（図１０（Ｂ）に示す例では切換表示時点Ｐから０．５秒）については、コマンド制御部１５において記憶され、規定される。この感知反応時間Ｑに関しては固定的に設定されるほか、可変に調整することも可能であり、その場合赤外線リモコン装置１０の機能設定ボタン２６を押して入力設定することができる。
【００４７】
このように実施形態に係る表示装置1によれば、磁気センサ９に対し、操作者が保持する磁性体１２の近接状態を感知して、コマンド制御部１５がCPU１３に対してメモリ１７に記憶される複数のコンテンツ情報を選択的にＬＥＤ表示体３あるいは液晶表示体２に表示するための信号を出力させることが可能となる。しかも液晶表示体２に対する各コンテンツ情報の表示、ＬＥＤ表示体３に対する各コンテンツ情報の表示を、それぞれ図７や図６に示すように予めメモリ１７に設定記憶されるＩｎｄｅｘ  Ｎｏ．１〜Ｉｎｄｅｘ  Ｎｏ．０の順序で順次選択的かつ情報が記憶されていないＩｎｄｅｘ  Ｎｏ．は読み飛ばす間欠的に歩進させることにより行われる。
【００４８】
加えて、実施形態に係る表示装置1は、操作者が保持する赤外線リモコン装置１０を使用する場合はContentsキー３０押下の後、送りスイッチ２８や戻りスイッチ２９を操作し、図７や図６に示すようにメモリ１７に記憶されるＩｎｄｅｘ  Ｎｏ．１〜Ｉｎｄｅｘ  Ｎｏ．０の順序で順次選択的かつ間欠的に歩進させ、行うことも可能となる。さらに、Contentsキー３０押下の後、テンキー２７で所望のＩｎｄｅｘ  Ｎｏ．を押下することによりダイレクトに所望のコンテンツを表示させることも可能である。
【００４９】
なお上記表示装置１において、操作者が保持する磁性体１２の磁気センサ９に対する近接状態において図７に示す周回順序（Ｉｎｄｅｘ  Ｎｏ．１→Ｉｎｄｅｘ  Ｎｏ．２→Ｉｎｄｅｘ  Ｎｏ．３→Ｉｎｄｅｘ  Ｎｏ．４→Ｉｎｄｅｘ  Ｎｏ．５→Ｉｎｄｅｘ  Ｎｏ．６→Ｉｎｄｅｘ  Ｎｏ．７→Ｉｎｄｅｘ  Ｎｏ．ｎ+１→Ｉｎｄｅｘ  Ｎｏ．０）にしたがって液晶表示体２を切換表示し、あるいは図６に示す周回順序（Ｉｎｄｅｘ  Ｎｏ．１→Ｉｎｄｅｘ  Ｎｏ．２→Ｉｎｄｅｘ  Ｎｏ．３→Ｉｎｄｅｘ  Ｎｏ．４→Ｉｎｄｅｘ  Ｎｏ．５→Ｉｎｄｅｘ  Ｎｏ．６→Ｉｎｄｅｘ  Ｎｏ．７→Ｉｎｄｅｘ  Ｎｏ．ｎ+１→Ｉｎｄｅｘ  Ｎｏ．０）にしたがってＬＥＤ表示体３を切換表示し、操作者が図７あるいは図６のＩｎｄｅｘ  Ｎｏ．０の状態で保持する磁性体１２を磁気センサ９から離隔させるようにする。これにより、磁気センサ９からからコマンド制御部１５に出力されていた磁性体１２の感知に基づくＯＮ信号の出力がＯＦＦとし、液晶表示体２あるいはＬＥＤ表示体３の表示をＯＦＦとするモードに切換設定することも可能である。液晶表示体２やＬＥＤ表示体３の表示をOFFとするには液晶表示体２やＬＥＤ表示体３への電力供給をOFFすることや、表示信号として無表示になるようにしてもよい。
【００５０】
さらに上記表示装置１において、例えば電源が投入され（例えば装置の本体のメインスイッチのＯＮ操作あるいは赤外線リモコン装置１０のＯＮ・ＯＦＦスイッチのＯＮ操作）とほぼ同時に、操作者が保持する磁性体１２の近接状態を磁気センサ９が感知したことに基づき、磁気センサ９から出力される信号をコマンド制御部１５が起動初期信号として受信し、これに基づき図５に示すＣＰＵ１３が作動して制御プログラム１６が、ＬＥＤ表示体３あるいは液晶表示体２に表示する複数のコンテンツ情報の種類や内容、さらに複数のコンテンツ情報を選択的にＬＥＤ表示体３あるいは液晶表示体２に切換表示する順序や間隔の処理方法を含む最新のソフトウエアプログラムを外部メモリ２３に対するアクセスあるいは外部インターファース２２を通じネットワークからのダウンロードにより更新する手段を備えるようにしてもよい。
【００５１】
なお、上記実施形態に係る表示装置１は、液晶表示体２とＬＥＤ表示体３のそれぞれを筐体４に備えるようにしているが、液晶表示体２とＬＥＤ表示体３のいずれか一方のみを備えるようにしてもよい。また上記実施形態に係る表示装置１は、メモリ１７に記憶される各コンテンツ情報を磁気センサ９に対する磁性体１２の近接または離隔により切換設定させることを可能とするとともに、赤外線リモコン装置１０から赤外線受光素子８に対する信号の送信によっても切換えることも可能にしているが、リモコン装置１０による切換操作手段を省略し、磁気センサ９に対する磁性体１２の近接または離隔のみにより、表示の切換操作が行われるように構成してもよい。さらに上記実施形態では、液晶表示体２とＬＥＤ表示体３におけるコンテンツ情報の切換えを1つの磁気センサ９で対応させるようにしているが、液晶表示体２におけるコンテンツ情報の切換と、ＬＥＤ表示体３におけるコンテンツ情報の切換とを、それぞれ独立した磁気センサを表示装置１に備えるようにしてもよい。
また、説明の便宜上図５に於いてはＣＰＵ１３、タイマ１８、赤外線信号に基づくコマンド制御部１４、磁気センサの感知に基づくコマンド制御部１５など要素ごとに分離して記述した。しかし、近年の技術によるとワンチップＣＰＵなどを使うことも考えられる。
【産業上の利用可能性】
【００５２】
以上のように、本発明に表示装置は、店頭や店内に設置し、店舗で販売される商品情報や店舗で提供される役務情報を表示させることができ、いわゆる電子看板としての用途に用いることができる他、インターネット回線やイントラネット回線に接続させ、デジタルサイネージ端末として用いることも可能とされる。
【符号の説明】
【００５３】
１                                表示装置
２                                液晶表示体
３                                ＬＥＤ表示体
４                                筐体
５                                コントロール基板
６                                電源回路
７                                透明樹脂板
８                                赤外線受光素子
９                                磁気センサ
１０                              赤外線リモコン装置
１１                              ストラップ
１２                              磁性体
１３                              ＣＰＵ
１４                              赤外線信号に基づくコマンド制御部
１５                              磁気センサの感知に基づくコマンド制御部
１６                              制御プログラム
１７                              メモリ
１８                              タイマ
１９                              表示制御部
２０                              音声出力制御部
２１                              スピーカ
２２                              外部インターフェイス
２３                              外部メモリ
２４                              ＯＮ・ＯＦＦスイッチ
２５                              発光部
２６                              機能設定ボタン
２７                              テンキー
２８                              送りスイッチ
２９                              戻りスイッチ
３０                              コンテンツスイッチ
【図１】
0006504926.tif 000002
【図２】
0006504926.tif 000003
【図３】
0006504926.tif 000004
【図４】
0006504926.tif 000005
【図５】
0006504926.tif 000006
【図６】
0006504926.tif 000007
【図７】
0006504926.tif 000008
【図８】
0006504926.tif 000009
【図９】
0006504926.tif 000010
【図１０】
0006504926.tif 000011